Podtech/llm-jp-corpus-v4-ja_patent huggingface dataset:
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
テープ供給ホルダと、
テープ上に印刷するプリンタと、
前記プリンタに対して横方向に移動可能である、前記プリンタから印刷されたテープを引張るテープ引張り装置と、
前記プリンタから引張られたテープを切断するテープカッタと、
前記印刷されたテープの片面のみと接触するように構成された、前記印刷されたテープを物体に適用するテープ適用装置と、
物体上に適用する前に前記印刷されたテープを保持する真空システムと、を含む、テープを印刷し、適用する装置。
【請求項２】
前記テープ引張り装置が、前記印刷されたテープが前記プリンタを出るとき、前記印刷されたテープを張力下で保つ、請求項１に記載の装置。
【請求項３】
前記テープ引張り装置が、前記プリンタに隣接した第１の位置と、前記プリンタから遠い第２の位置との間で移動可能である、請求項１に記載の装置。
【請求項４】
テープ供給ホルダと、
プリンタと、
グリッパと、
切断エレメントを有するカッタと、
前記グリッパを、前記切断エレメント間の第１の位置から、前記カッタから遠い第２の位置に移動させる第１のアクチュエータと、
テープ適用装置と、を含む、テープを印刷し、適用する装置。
【請求項５】
前記グリッパおよび前記アクチュエータが、印刷されたテープが前記プリンタを出るとき、前記印刷されたテープを張力下で保つ、請求項４に記載の装置。
【請求項６】
前記グリッパが、前記第１の位置から前記第２の位置に移動するとき、前記グリッパが、前記テープ適用装置の経路内で印刷されたテープを引張る、請求項４に記載の装置。
【請求項７】
前記プリンタが印刷を終了した後、前記グリッパが、前記印刷されたテープを解放する、請求項６に記載の装置。
【請求項８】
真空システムをさらに含み、前記グリッパが前記印刷されたテープを解放した後、前記真空システムが前記印刷されたテープを保持する、請求項７に記載の装置。
【請求項９】
テープを提供する工程と、
横方向に移動可能なテープ引張り装置で前記テープを把持する工程と、
プリンタで前記テープのセグメント上に印刷する工程であって、前記テープセグメントが、印刷前に前記テープ引張り装置によって把持される工程と、
前記テープ引張り装置で前記プリンタから張力下で前記印刷されたテープセグメントを引張る工程と、
前記印刷されたテープセグメントを切断する工程と、
印刷されたテープを物体に適用する工程と、を含む、テープを印刷し、適用する方法。
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
製造ツールの実質的に連続的な使用を可能にするように構成された、再利用可能な第１の剥離面を有する製造ツールと、第２の剥離面を有する基材と、を提供する工程と、
粘弾性材料へと硬化可能な組成物を前記第１の剥離面上に被覆して、それによって前記硬化性組成物の露出面を画定する工程と、
前記基材の前記第２の剥離面部分を前記硬化性組成物の前記露出面と接触させる工程と、
前記硬化性組成物を少なくとも部分的に硬化させる工程と、
前記少なくとも部分的に硬化された組成物を前記第１の剥離面から除去する工程と、
前記少なくとも部分的に硬化された組成物を前記第２の剥離面から除去する工程と、
を含む、１つ以上の粘弾性物品の製造方法。
【請求項２】
前記組成物を前記第１の剥離面から除去する工程の後であるが、前記組成物を前記第２の剥離面から除去する工程の前に、前記少なくとも部分的に硬化された組成物を更に硬化させる工程を更に含む、請求項１に記載の方法。
【請求項３】
前記組成物を前記第２の剥離面から除去する工程の後であるが、前記組成物を前記第１の剥離面から除去する工程の前に、前記少なくとも部分的に硬化された組成物を更に硬化させる工程を更に含む、請求項１に記載の方法。
【請求項４】
前記第１の剥離面および前記第２の剥離面の少なくとも１つが組織化表面を含む、請求項１に記載の方法。
【請求項５】
請求項１に記載の方法によって製造された粘弾性物品。
【手続補正２】
【補正対象書類名】明細書
【補正対象項目名】００２６
【補正方法】変更
【補正の内容】
【００２６】
得られる粘弾性材料としては、ＰＳＡ、ヒドロゲル、ヒドロコロイド、親水性ゲル（２００１年８月２３日に公開された国際公開第０１／６０２９６号パンフレットに記載されている）およびそれらの組み合わせが挙げられる。特に有用な粘弾性材料としては、アクリレート、メタクリレート、アクリルアミド、メタクリルアミド、ヒドロキシアルキルアクリレート、ヒドロキシアルキルメタクリレート、Ｎ−ビニルピロリジノンおよびビニルエーテルのポリマーおよびコポリマーから製造されるヒドロゲルが挙げられる。本発明の方法を実施するために有用な追加的なヒドロゲルは、本発明の譲受人による、本願と同日付で出願される米国特許出願第２００３／０２０３０１１号（代理人整理番号５７００１ＵＳ００２）に記載されている。
【手続補正書】
【提出日】平成18年3月14日(2006.3.14)
【手続補正１】
【補正対象書類名】明細書
【補正対象項目名】００３５
【補正方法】変更
【補正の内容】
【００３５】
実施例２および３
実施例１の方法を繰り返した。ただし、ＰＥ層は９０重量％のＬＬＤＰＥおよび接着調整剤としての１０重量％のYparex ０Ｈ０４０から成った。実施例２のブローアップ比は２．１であり、実施例３では２．５であった。押出方向に測定されたエルメンドルフ形引裂強さは夫々１０４ｋＮ／ｍおよび９８ｋＮ／ｍであった。
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
角質層の皮膚バリア回復を高めることができる、活性物質に対する水ベースの局所的送達システムであって、水、脂肪酸、コレステロール、及びセラミド/リン脂質部分を含むことを特徴とする送達システム。
【請求項２】
セラミド/リン脂質部分：コレステロール：脂肪酸の割合が、約2:2:1〜2.35:1:1である請求項１に記載の送達システム。
【請求項３】
少なくとも１種の皮膚脂質前駆体をさらに含む請求項１に記載の送達システム。
【請求項４】
脂肪酸が、0.5〜10%、コレステロールが、0.5〜10%、脂質前駆体が、0.000001〜10%、及びセラミド/リン脂質の割合が、0.005〜20%である請求項３に記載の送達システム。
【請求項５】
トリエタノールアミンをさらに含む請求項１に記載の送達システム。
【請求項６】
前記水含有量が、50%より大きい請求項１に記載の送達システム。
【請求項７】
脂肪酸  0.5-10%
リン脂質  0.5-10%
コレステロール  0.5-7%
脂質前駆体  0.000001-10%
セラミド  0.005-7%
の組み合わせである請求項３に記載の送達システム。
【請求項８】
グリセリン  0-5%
プロピレングリコール  0-48%
PVP(分子量40,000)  0-5%
TEA  0-3%
をさらに含む請求項７に記載の送達システム。
【請求項９】
25-ヒドロキシコレカルシフェロール  0.015%
アシルセラミド  0.025%
をさらに含む請求項７に記載の送達システム。
【請求項１０】
前記システムが、ペプチド、タンパク、日焼け止め剤、なめし剤、皮膚抗皺剤、抗ふけ剤、抗にきび剤、増毛刺激剤、ホルモン、ワクチン、ニコチン、インターフェロン、鎮痛剤、ビタミン、及び湿疹、乾燥肌、痒皮膚、真菌感染症、にきび、皮膚ガン、脱毛症、しらみ感染、乾癬、及び皮膚損傷を治療する物質から成る群から選択される１種以上の治療的に活性な物質をさらに含む請求項１に記載の送達システム。
【請求項１１】
前記システムが、アルコールを含まない請求項３に記載の送達システム。
【請求項１２】
前記システムが、アルコールを10%未満含む請求項３に記載の送達システム。
【請求項１３】
水及び親油性成分を含む活性物質用の局所的送達システムであって、前記親油性成分が、脂肪酸、コレステロール、及びセラミド/リン脂質部分を含み、前記親油性成分が、脂質粒子、及びガス球又はベシクルの形態であることを特徴とする送達システム。
【請求項１４】
少なくとも１種の皮膚脂質前駆体をさらに含む請求項１３に記載の局所的送達システム。
【請求項１５】
水及び親油性成分を含む活性物質用の局所的送達システムであって、前記親油性成分が、脂肪酸、コレステロール、及びセラミド/リン脂質部分を含み、前記親油性成分が、脂質粒子、及びガス球又はベシクルの形態であることを特徴とする送達システム。
【請求項１６】
少なくとも１種の皮膚脂質前駆体をさらに含む請求項１５に記載の局所的送達システム。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
医薬活性化合物として必要によりメチルエフリン又はその医薬上許される塩と組み合わせてa)抗ヒスタミン有効量のエピナスチン又はその医薬上許される塩、b)抗コリン作用量のベラドンナアルカロイド又はその医薬上許される塩及びc)充血除去有効量のシュードエフェドリン又はその医薬上許される塩の組み合わせを含み、更に医薬上許される担体又は賦形剤を含むことを特徴とする経口医薬組成物。
【請求項２】
ベラドンナアルカロイドがアトロピン、L-(-)-ヒオスシアミン、L-(-)-ヒオスシン、ヒオスシン及び／又はヒオスシアミンのN-オキサイド、アトロパミン、ベラドニンから選ばれる群の少なくとも一種のアルカロイド及び必要によりニコチン、N-メチルピロリン、N-メチルピロリジン、ピリジン、クスコヒグリンを含むことを特徴とする、請求項１記載の経口医薬組成物。
【請求項３】
全ての活性成分が即時放出のために製剤化されることを特徴とする、請求項１又は２記載の経口医薬組成物。
【請求項４】
エピナスチン又はその医薬上許される塩が即時放出のために製剤化され、その他の活性成分、即ち、ベラドンナアルカロイド又はその医薬上許される塩、シュードエフェドリン又はその医薬上許される塩及び必要によりメチルエフリンの少なくとも一部が持続放出のために製剤化されることを特徴とする、請求項１から３のいずれか記載の経口医薬組成物。
【請求項５】
合計量のベラドンナアルカロイド又はその医薬上許される塩、シュードエフェドリン又はその医薬上許される塩及び必要によりメチルエフリンが、持続放出のために製剤化されることを特徴とする、請求項４記載の経口医薬組成物。
【請求項６】
製剤がメチルエフリン又はその医薬上許される塩を含むことを特徴とする、請求項１から５のいずれか記載の経口医薬組成物。
【請求項７】
エピナスチン又はその医薬上許される塩の濃度範囲が毎日2mg〜20mgであり、ベラドンナアルカロイド又はその医薬上許される塩の濃度範囲が毎日0.05〜4.0mgであり、シュードエフェドリン＋メチルエフリン又はこれらの相当する医薬上許される塩の濃度範囲が毎日５〜240mgであることを特徴とする、請求項１から６のいずれか記載の経口医薬組成物。
【請求項８】
シュードエフェドリン及びメチルエフリンの濃度が同じ量であることを特徴とする、請求項７記載の経口医薬組成物。
【請求項９】
二層錠剤に相当することを特徴とする、請求項１から８のいずれか記載の経口医薬組成物。
【請求項１０】
ベラドンナアルカロイド、シュードエフェドリン及び必要によりメチルエフリン又は前記活性成分の相当する医薬塩の持続放出を与える、第一層Ａが、或る量の請求項１記載のこれらの化合物を含み、エピナスチンの即時放出を与える、第二層Ｂが、抗ヒスタミン有効量のエピナスチン又はその医薬上許される塩を含む、請求項９記載の二層錠剤。
【請求項１１】
層Ａがシュードエフェドリン塩酸塩60mg、メチルエフリン塩酸塩60mg及びベラドンナアルカロイド0.3mgを含み、層Ｂがエピナスチン-HCl 10mgを含むことを特徴とする、請求項９又は１０の１項記載の二層錠剤又はこれらの量のいずれかが２で割られている錠剤。
【請求項１２】
医薬上許される賦形剤からなる錠剤被覆物Ｃを更に含むことを特徴とする、請求項９から１１のいずれか記載の二層錠剤。
【請求項１３】
層Ａが膨潤可能な親水性ポリマーのマトリックス中に充血除去有効量のシュードエフェドリン又はその医薬上許される塩及びメチルエフリン又はその医薬上許される塩並びに抗コリン作用量のベラドンナアルカロイド又はその塩を含むことを特徴とする、請求項９から１２のいずれか記載の二層錠剤。
【請求項１４】
請求項１から９の１項記載の経口製剤を含むことを特徴とするカプセル。
【請求項１５】
カプセルの物質がキトサン及び澱粉、穀物粉末、オリゴ糖、メタクリル酸-メチルアクリレート、メタクリル酸-エチルアクリレート、ヒドロキシプロピルメチルセルロース-アセテート、-スクシネート又は-フタレート、ポリビニルアルコール、水溶性無毒性熱可塑性樹脂、ヒドロキシプロピルメチル-セルロース、メチルセルロース、ヒドロキシプロピルセルロース、ヒドロキシプロピル澱粉、アルギン酸ナトリウム、ゼラチン、硬質ゼラチン及びプルランの群から選ばれる化合物を含むことを特徴とする、請求項１４記載のカプセル。
【請求項１６】
成分が持続放出顆粒及び非持続放出顆粒として製剤化されることを特徴とする、請求項１４又は１５記載のカプセル。
【請求項１７】
請求項４又は５と組み合わせて請求項１６記載のカプセル。
【請求項１８】
非持続顆粒が水不溶性ポリマー、腸可溶性ポリマー、パラフィンワックス、高級アルコール、高級脂肪酸及び／又は高級脂肪酸エステルにより被覆されることを特徴とする、請求項１４、１５又は１６記載のカプセル。
【請求項１９】
成分が錠剤に圧縮される顆粒として製剤化されることを特徴とする、請求項１から９の１項記載の経口製剤を含む錠剤。
【請求項２０】
成分が持続放出顆粒及び非持続放出顆粒として製剤化されることを特徴とする、請求項１９記載の錠剤。
【請求項２１】
請求項４又は５と組み合わせて請求項２０記載の錠剤。
【請求項２２】
非持続顆粒が水不溶性ポリマー、腸可溶性ポリマー、パラフィンワックス、高級アルコール、高級脂肪酸及び／又は高級脂肪酸エステルにより被覆されることを特徴とする、請求項１９、２０又は２１記載の錠剤。
【請求項２３】
季節性アレルギー性鼻炎、季節性アレルギー性結膜炎、アレルギー性鼻炎、エウスタキオ管のアレルギー性充血及び／又は抗ヒスタミン薬及び充血除去薬の投与を受けるアレルギー源からのその他の疾患の治療用である、請求項１から９の１項記載の医薬組成物、請求項１０から１３のいずれか記載の二層錠剤、請求項１４から１８のいずれか記載のカプセル又は請求項１９から２１のいずれか記載の錠剤。
【請求項２４】
季節性アレルギー性鼻炎及び／又は季節性アレルギー性結膜炎の治療用である請求項２２記載の錠剤。
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
実質的に非晶質固体の形態である式(I)： 
【化１】
2005522442.tif 000001
の化合物。
【請求項２】
実質的に非晶質固体粒子の形態である、請求項1記載の式(I)の化合物。
【請求項３】
前記粒子が吸入に適した制御粒径を有する、請求項2記載の実質的に非晶質固体粒子の形態である式(I)の化合物。
【請求項４】
前記粒子が実質的に球状である、請求項2記載の実質的に非晶質固体粒子の形態である式(I)の化合物。
【請求項５】
請求項2記載の式(I)の化合物を場合により1種以上の生理学的に許容しうる希釈剤または担体と共に含む、肺または鼻への局所投与に適した医薬製剤。
【請求項６】
粉末基剤を含有する乾燥粉末組成物の形態である、請求項5記載の医薬製剤。
【請求項７】
前記粉末基剤が乳糖である、請求項6記載の医薬製剤。
【請求項８】
加圧式エアロゾル製剤の形態である、請求項6記載の医薬製剤。
【請求項９】
液化フルオロカーボンまたは水素含有クロロフルオロカーボン噴射剤またはそれらの混合物を含有する、請求項8記載の医薬製剤。
【請求項１０】
式(I)の化合物を含有する溶液を噴霧乾燥することを含む、請求項1記載の実質的に非晶質固体の形態である式(I)の化合物を製造する方法。
【請求項１１】
溶媒がメチルエチルケトンである、請求項10記載の方法。
【請求項１２】
前記溶液の濃度が2〜4％である、請求項10記載の方法。
【請求項１３】
請求項12記載の方法を実施することにより取得可能な、実質的に非晶質の粒子である式(I)の化合物。
【請求項１４】
結晶非溶媒和形態としての式(I)の化合物を製造する方法であって、(i)実質的に非晶質固体の形態である式(I)の化合物を、結晶非溶媒和形態1多形への変換が完了するまで加熱すること、または(ii)実質的に非晶質の固体としての式(I)の化合物を、非溶媒和性溶媒の蒸気に、変換が完了するまで接触させること、を含む上記方法。
【請求項１５】
結晶非溶媒和形態としての式(I)の化合物を製造する方法であって、
(a)  式(I)の化合物を含有する溶液を噴霧乾燥することにより、実質的に非晶質の固体としての式(I)の化合物を製造すること、および
(b)  (i) 実質的に非晶質の固体を、結晶非溶媒和形態としての式(I)の化合物への変換が完了するまで加熱すること、または(ii)実質的に非晶質の固体としての式(I)の化合物を、非溶媒和性溶媒の蒸気に、変換が完了するまで接触させること
を含む上記方法。
【請求項１６】
ステップ(b)の(ii)を熱の存在下で行う、請求項14記載の方法。
【請求項１７】
ステップ(i)において前記化合物を90〜160℃の温度まで加熱する、請求項14記載の方法。
【請求項１８】
ステップ(a)において、実質的に非晶質の固体が、吸入に適した制御粒径を有する実質的に非晶質粒子の形態である、請求項14記載の方法。
【請求項１９】
請求項5記載の製剤を製造する方法であって、(i)実質的に非晶質固体の形態である式(I)の化合物を1種以上の生理学的に許容しうる固形の希釈剤もしくは担体と混合すること、または(ii)式(I)の化合物と1種以上の生理学的に許容しうる希釈剤もしくは担体とを含有する溶液を噴霧乾燥することにより、1種以上の希釈剤もしくは担体中の式(I)の化合物の固体分散体を製造すること、または（iii）1種以上の生理学的に許容しうる希釈剤もしくは担体を予め溶解した液体中に懸濁した実質的に非晶質固体の形態である式(I)の化合物を噴霧乾燥すること、を含む上記方法。
【請求項２０】
(i)実質的に非晶質固体の形態である式(I)の化合物を1種以上の生理学的に許容しうる固形の希釈剤もしくは担体と混合することにより取得可能な、または(ii)式(I)の化合物と1種以上の生理学的に許容しうる希釈剤もしくは担体とを含有する溶液を噴霧乾燥することにより取得可能な、または(iii)1種以上の生理学的に許容しうる希釈剤もしくは担体を予め溶解した液体中に懸濁した実質的に非晶質固体の形態である式(I)の化合物を噴霧乾燥することにより取得可能な、請求項5記載の実質的に非晶質固体の形態である式(I)の化合物を1種以上の生理学的に許容しうる希釈剤もしくは担体と共に含む医薬製剤。
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
粒度(d90)が１５０μm未満である非晶質アトーバスタチンの粒子を含む製薬製剤。
【請求項２】
非晶質アトーバスタチンの平均粒度(d50)が５乃至５０μmである、請求項１の製薬製剤。
【請求項３】
非晶質アトーバスタチンの吸収の速度および程度の一方または両方が、リピター（商標）という商品名で流通している結晶性アトーバスタチン製剤によって得られるものに等しいか、それらより大きい、請求項１の製薬製剤。
【請求項４】
アトーバスタチンの濃度時間曲線下の面積(AUC0-t)の９０%信頼性範囲と最大血漿濃度(Cmax)の一方または両方が、リピター（商標）という商品名で流通している結晶性アトーバスタチン製剤に関して米国食品医薬品局が定めた０.８０乃至１.２５の範囲にある、請求項１の製薬製剤。
【請求項５】
非晶質アトーバスタチンが、製剤の重量で１%乃至５０%含まれる、請求項１の製薬製剤。
【請求項６】
非晶質アトーバスタチンが、アトーバスタチンカルシウム、アトーバスタチンマグネシウム、アトーバスタチンアルミニウム、アトーバスタチン鉄、およびアトーバスタチン亜鉛の一つ以上を含む、請求項１の製薬製剤。
【請求項７】
製薬製剤が更に、アルカリ金属塩添加物を含む、請求項１の製薬製剤。
【請求項８】
アルカリ金属塩添加物が、製剤の重量で１.２%乃至５%未満の濃度で存在する、請求項７の製薬製剤。
【請求項９】
アルカリ金属塩添加物が、炭酸ナトリウム、重炭酸ナトリウム、水酸化ナトリウム、ケイ酸ナトリウム、正リン酸水素二ナトリウム、リン酸二水素ナトリウム、リン酸水素二ナトリウム、リン酸ナトリウム、およびアルミン酸ナトリウムの一つ以上を含む、請求項７の製薬製剤。
【請求項１０】
アルカリ金属塩添加物が、炭酸カルシウム、水酸化カルシウム、炭酸マグネシウム、水酸化マグネシウム、ケイ酸マグネシウム、アルミン酸マグネシウム、および水酸化アルムニウムマグネシウムの一つ以上を含む、請求項７の製薬製剤。
【請求項１１】
製薬製剤がアトーバスタチンおよびアルカリ金属塩添加物を含み、アルカリ金属塩添加物が製剤の重量で１.２%乃至５%の濃度で存在する製薬製剤。
【請求項１２】
アルカリ金属塩添加物が、炭酸ナトリウム、重炭酸ナトリウム、水酸化ナトリウム、ケイ酸ナトリウム、正リン酸水素二ナトリウム、リン酸二水素ナトリウム、リン酸水素二ナトリウム、リン酸ナトリウム、アルミン酸ナトリウム、炭酸カルシウム、水酸化カルシウム、炭酸マグネシウム、水酸化マグネシウム、ケイ酸マグネシウム、アルミン酸マグネシウム、および水酸化アルムニウムマグネシウムの一つ以上を含む、請求項１１の製薬製剤。
【請求項１３】
アトーバスタチンが非晶質又は結晶である、請求項１１の製薬製剤。
【請求項１４】
アトーバスタチンが非晶質アトーバスタチンの粒子を含み、その粒子が１５０μm未満の粒度(d90)を有する、請求項１１の製薬製剤。
【請求項１５】
アトーバスタチンが非晶質アトーバスタチンの粒子を含み、その非晶質アトーバスタチン粒子の平均粒度(d50)が５乃至５０μmである、請求項１１の製薬製剤。
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
動物およびその環境中の寄生体を制御するための薬物の製造における、一般式(Ｉ)：
【化１】
2005522484.tif 000001
[式中、
Ｘは、アルキル、ハロゲン、アルコキシ、またはハロアルキルを表し、
Ｙは、水素、アルキル、ハロゲン、アルコキシ、ハロアルキルを表し、
Ｚは、アルキル、ハロゲン、アルコキシを表し、
ｎは、０から３の数字を表すか、
または
ＸとＺが、それらが結合しているフェニル基と共に、式：
【化２】
2005522484.tif 000002
｛式中、Ｙは上記の意味を有する｝のナフタレン基を形成し；
Ｇは、水素(ａ)、または
【化３】
2005522484.tif 000003
の基を表し；
ＡとＢは、同一であっても異なっていてもよく、
そして、水素、所望によりハロゲン置換されているアルキル、アルケニル、アルキニル、アルコキシアルキル、アルキルチオアルキルを表すか、または所望によりヘテロ原子によって中断されているシクロアルキルを表すか、またはアリール、アラルキル、またはヘテロアリール(hetaryl)を表し、それぞれは、ハロゲン、アルキル、ハロアルキル、アルコキシ、ハロアルコキシ、ニトロによって、所望により置換されているか、
または
ＡとＢは、それらが結合している炭素原子と共に、飽和もしくは不飽和の環｛所望によりヘテロ原子によって中断されており、かつ所望により置換されている｝を形成し；
Ｄは、酸素、硫黄、または−ＮＨ−を表し；
Ｅ＋は、当量の金属イオン、またはアンモニウムイオンを表し；
ＬとＭは、酸素 および／または 硫黄を表し；
Ｒ１は、所望によりハロゲン置換されているアルキル、アルケニル、アルコキシアルキル、アルキルチオアルキル、ポリアルコキシアルキル、またはシクロアルキル｛ヘテロ原子によって中断され得る｝を表すか、または所望により置換されているフェニル、所望により置換されているフェニルアルキル、置換ヘテロアリール、置換フェノキシアルキル、または置換ヘテロアリールオキシアルキルを表し；そして
Ｒ２は、所望によりハロゲン置換されているアルキル、アルケニル、アルコキシアルキル、ポリアルコキシアルキル、または所望により置換されているフェニル、またはベンジルを表し；
Ｒ３、Ｒ４、およびＲ５は、互いに独立して、所望によりハロゲン置換されているアルキル、アルコキシ、アルキルアミノ、ジアルキルアミノ、アルキルチオ、アルケニルチオ、アルキニルチオ、シクロアルキルチオ、および所望により置換されているフェニル、フェノキシ、またはフェニルチオを表し；
Ｒ６とＲ７は、互いに独立して、水素、所望によりハロゲン置換されているアルキル、アルケニル、アルコキシ、アルコキシアルキルを表すか、または所望により置換されているフェニルを表すか、または所望により置換されているベンジルを表すか、または
Ｒ６とＲ７が、一緒になって、所望により酸素によって中断されているアルキレン基を表す]のフェニルケトエノール誘導体であって、下記：
３−(２−メトキシフェニル)−４−ヒドロキシ−Δ３−ジヒドロフラン−２−オン；
３−(２−クロロフェニル)−４−ヒドロキシ−Δ３−ジヒドロフラン−２−オン；
３−(２−メトキシフェニル)−４−ヒドロキシ−Δ３−ジヒドロフラン−２−オン；
３−(２−フルオロフェニル)−４−ヒドロキシ−Δ３−ジヒドロフラン−２−オン；
を除く化合物、およびエナンチオマーとして純粋な形態の式(Ｉ)の化合物の使用。
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
哺乳類の中枢神経系内のニューロン成長を促進するのに用いるための５−ＨＴ６受容体アンタゴニストを含む医薬組成物。
【請求項２】
該５−ＨＴ６受容体アンタゴニストが、５−クロロ−３−メチルベンゾ［ｂ］チオフェン−２−スルホン酸（４−メトキシ−３−ピペラジン−１−イルフェニル）アミドまたはその医薬上許容される塩もしくは溶媒和物である、請求項１記載の医薬組成物。
【請求項３】
医薬上許容される塩が塩酸塩である、請求項２記載の医薬組成物。
【請求項４】
該５−ＨＴ６受容体アンタゴニストが、Ｎ−（３，５−ジクロロ−２−メトキシ−フェニル）−４−メトキシ−３−ピペラジン−１−イル−ベンゼンスルホンアミドまたはその医薬上許容される塩もしくは溶媒和物である、請求項１記載の医薬組成物。
【請求項５】
医薬上許容される塩が塩酸塩である、請求項４記載の医薬組成物。
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
脊椎動物の脳ムスカリン性レセプターを活性化させることを含む、炎症性サイトカインカスケードにより媒介される疾患の危険性にあるか、または該疾患を有する脊椎動物においてプロ炎症性サイトカインの放出を阻害する方法における使用のための医薬の調製のための、ムスカリン性アゴニストの使用。
【請求項２】
プロ炎症性サイトカインが、腫瘍壊死因子（TNF）、インターロイキン（IL）-1α、IL-1β、IL-6、IL-18、HMG-B1、MIP-1α、MIP-1β、MIF、インターフェロンγ、およびPAFからなる群より選ばれる請求項１記載の使用。
【請求項３】
プロ炎症性サイトカインがTNFである請求項１記載の使用。
【請求項４】
脊椎動物がヒトである請求項１記載の使用。
【請求項５】
疾患が、虫垂炎、消化性潰瘍、胃潰瘍、十二指腸潰瘍、腹膜炎、膵炎、炎症性腸疾患、憩室炎、喉頭蓋炎、噴門痙攣、胆管炎、胆嚢炎、肝炎、腸炎、ウイップル病、喘息、アレルギー、アナフィラキシーショック、免疫複合体病、器官虚血、再灌流傷害、器官壊死、枯草熱、セプシス、敗血症、内毒素性ショック、悪液質、異常高熱症、好酸球性肉芽腫、肉芽腫症、サルコイドーシス、敗血性流産、精巣上体炎、膣炎、前立腺炎、尿道炎、気管支炎、気腫、鼻炎、嚢胞性線維症、肺炎、肺限外顕微鏡的間質性肺炎、肺胞炎、細気管支炎、咽頭炎、胸膜炎、副鼻腔炎、インフルエンザ、呼吸器合胞体ウイルス感染、疱疹感染、HIV感染、Ｂ型肝炎ウイルス感染、Ｃ型肝炎ウイルス感染、播種性菌血症、デング熱、カンジダ症、マラリア、フィラリア症、アメーバ症、包虫、火傷、皮膚炎、皮膚筋炎、日光皮膚炎、じんま疹、いぼ、膨疹、血管炎、脈管炎、心内膜炎、動脈炎、アテローム性動脈硬化症、血栓静脈炎、心外膜炎、心筋炎、心筋虚血、結節性動脈周囲炎、リウマチ熱、腹腔疾患、うっ血性心不全、成人呼吸促進症候群、髄膜炎、脳炎、多発性硬化症、脳梗塞、脳卒中、ギヤン-バレー症候群、神経炎、神経痛、脊椎損傷、麻痺、ブドウ膜炎、関節炎、関節痛、骨髄炎、筋膜炎、パジェット病、痛風、歯周病、滑膜炎、重症筋無力症、甲状腺炎、全身性エリテマトーデス、グッドパスチャー症候群、ベーチェット症候群、同種移植拒絶、移植片対宿主病、I型糖尿病、強直性脊椎炎、バージャー病、ライター症候群、およびホジキン病からなる群より選ばれる請求項１記載の使用。
【請求項６】
炎症性腸疾患が、潰瘍性大腸炎、偽膜性大腸炎、急性大腸炎、虚血性大腸炎、およびクローン病からなる群より選ばれる請求項５記載の使用。
【請求項７】
関節炎がリウマチ様関節炎である請求項５記載の使用。
【請求項８】
疾患が、同種移植拒絶、関節炎、喘息、狼瘡、成人呼吸促進症候群、膵炎、腹膜炎、火傷、ベーチェット病、移植片対宿主病、炎症性腸疾患、多発性硬化症、器官虚血、再灌流傷害、心筋虚血、および悪液質からなる群より選ばれる請求項１記載の使用。
【請求項９】
疾患がショック、慢性閉塞性肺疾患、または乾癬である請求項１記載の使用。
【請求項１０】
疾患がセプシスである請求項１記載の使用。
【請求項１１】
脳ムスカリン性レセプターがM1、M2、およびM4レセプターからなる群より選ばれる請求項１記載の使用。
【請求項１２】
ムスカリン性アゴニストが脊椎動物の脳に直接投与される請求項１記載の使用。
【請求項１３】
ムスカリン性アゴニストが脊椎動物の血液脳関門を通過することができ、該アゴニストが経腸的もしくは非経口的に投与されるか、または脊椎動物の血流に注射される請求項１記載の使用。
【請求項１４】
ムスカリン性アゴニストがムスカリン、McN-A-343、およびMT-3からなる群より選ばれる請求項１記載の使用。
【請求項１５】
脊椎動物の脳ムスカリン性レセプターを活性化することを含む、心筋細胞アポトーシスの危険性がある脊椎動物において心筋細胞のアポトーシスを阻害する方法における使用のための医薬の調製のための、ムスカリン性アゴニストの使用。
【請求項１６】
（ａ）感覚刺激と脳ムスカリン性レセプターの活性化との間に関連性が作られるのに十分な期間、脊椎動物の脳ムスカリン性レセプターを活性化し、かつ脊椎動物に感覚刺激を提供すること；および
（ｂ）プロ炎症性サイトカイン放出が感覚刺激のみにより阻害されるように関連性を十分に増強するのに十分な間隔および期間、工程（ａ）を繰り返すこと、
を含む、感覚刺激を受ける際にプロ炎症性サイトカインの放出が阻害されるように脊椎動物を条件付ける方法における使用のための医薬の調製のための、ムスカリン性アゴニストの使用。
【手続補正書】
【提出日】平成17年12月6日(2005.12.6)
【手続補正１】
【補正対象書類名】明細書
【補正対象項目名】００１４
【補正方法】変更
【補正の内容】
【００１４】
図２には２つの個別の反応ゾーンが示されているが、さらに追加の反応ゾーンを備えることができることは理解されるであろう。また、別々の反応器が示されているが、多段反応器を含む単一反応器などの異なる形態を使用できることも理解されるであろう。
【手続補正２】
【補正対象書類名】明細書
【補正対象項目名】００３４
【補正方法】変更
【補正の内容】
【００３４】
実施例２
図３を参照して、約５０℃及び１０００ｐｓｉａのプロピレンとエチルベンゼンのフィードが出発物質として用いられる。プロピレンフィードの全量が、ライン１０４によって、適当な固体エポキシ化触媒を含む固定床反応器である反応器１０１に通される。システムへのエチルベンゼンヒドロペルオキシドフィードの流れ全部がライン１０５を通り、それからライン１０６によって反応器１０１へ、ライン１０７によって反応器１０２へ、ライン１０８によって反応器１０３へそれぞれ分配される。各反応ゾーンフィード中に導入されるエチルベンゼンヒドロペルオキサイドの量は、３つの各反応ゾーンに入るヒドロペルオキシドの濃度がそれぞれのゾーンへの総フィード量の８重量未満となるようにコントロールされる。
【手続補正３】
【補正対象書類名】明細書
【補正対象項目名】００３６
【補正方法】変更
【補正の内容】
【００３６】
各反応ゾーン１０１、１０２及び１０３は、米国特許３，９２３，８４３の実施例ＶＩＩ記載のようにして調製したシリカ上のチタニア触媒の充填床を含む。次の表２は各種プロセス流の組成ならびに反応システム全体を通して現れる流量、温度及び圧力を示す。
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
式（Ｉ）：
2005522452.tif 000001
［式中、Ｒ１は水素、ハロゲン、ヒドロキシ、シアノ、ニトロ、トリフルオロメチル、トリフルオロメトキシ、Ｃ１−６アルキル、トリフルオロメタンスルホニルオキシ、ペンタフルオロエチル、Ｃ１−６アルコキシ、アリールＣ１−６アルコキシ、Ｃ１−６アルキルチオ、Ｃ１−６アルコキシＣ１−６アルキル、Ｃ３−７シクロアルキルＣ１−６アルコキシ、Ｃ１−６アルカノイル、Ｃ１−６アルコキシカルボニル、Ｃ１−６アルキルスルホニル、Ｃ１−６アルキルスルフィニル、Ｃ１−６アルキルスルホニルオキシ、Ｃ１−６アルキルスルホニルＣ１−６アルキル、アリールスルホニル、アリールスルホニルオキシ、アリールスルホニルＣ１−６アルキル、Ｃ１−６アルキルスルホンアミド、Ｃ１−６アルキルアミド、Ｃ１−６アルキルスルホンアミドＣ１−６アルキル、Ｃ１−６アルキルアミドＣ１−６アルキル、アリールスルホンアミド、アリールカルボキシアミド、アリールスルホンアミドＣ１−６アルキル、アリールカルボキシアミドＣ１−６アルキル、アロイル、アロイルＣ１−６アルキル、アリールＣ１−６アルカノイル、または基ＣＯＮＲ３Ｒ４またはＳＯ２ＮＲ３Ｒ４であり、ここにＲ３およびＲ４は独立して水素またはＣ１−６アルキルであるか、あるいは一緒になって縮合して、ＯまたはＳ原子により中断されていてもよい５ないし７員の芳香族または非芳香族複素環を形成してもよく；
Ｒ２は水素またはＣ１−６アルキルであり；
ｍは１ないし３の整数であり；
ｎは１ないし４の整数であり；
Ａはフェニル、ナフチルまたは単環式もしくは二環式のヘテロアリール基であり、それらはそれぞれ同じであってもよくあるいは異なっていてもよい１個またはそれ以上の置換基により置換されていてもよく、該置換基はＲ１に関して定義されたものから選択される］
で示される化合物またはその医薬上許容される塩あるいはその溶媒和物。
【請求項２】
２，３，４，５−テトラヒドロ−７−（３−トリフルオロメチル）フェニルスルホンアミド−１Ｈ−ベンゾ［ｄ］アゼピン；
７−フェニルスルホンアミド−２，３，４，５−テトラヒドロ−１Ｈ−ベンゾ［ｄ］アゼピン；
２，３，４，５−テトラヒドロ−７−（３−クロロ）フェニルスルホンアミド−１Ｈ−ベンゾ［ｄ］アゼピン；
２，３，４，５−テトラヒドロ−７−（５−ブロモ−２−チエニル）スルホンアミド−１Ｈ−ベンゾ［ｄ］アゼピン；
２，３，４，５−テトラヒドロ−７−（４−メチル）フェニルスルホンアミド−１Ｈ−ベンゾ［ｄ］アゼピン；
７−（４−ブロモ−２−トリフルオロメトキシ）フェニルスルホンアミド−２，３，４，５−テトラヒドロ−１Ｈ−ベンゾ［ｄ］アゼピン；
２，３，４，５−テトラヒドロ−７−（２，３−ジクロロ）フェニルスルホンアミド−１Ｈ−ベンゾ［ｄ］アゼピン；
２，３，４，５−テトラヒドロ−７−（３，５−ジクロロ−２−メトキシ）フェニルスルホンアミド−１Ｈ−ベンゾ［ｄ］アゼピン；
２，３，４，５−テトラヒドロ−７−（４−ブロモ−２−エチル）フェニルスルホンアミド−１Ｈ−ベンゾ［ｄ］アゼピン；
７−（４−クロロ−２−トリフルオロメトキシ）フェニルスルホンアミド−２，３，４，５−テトラヒドロ−１Ｈ−ベンゾ［ｄ］アゼピン；
７−（ベンゼンスルホニルアミノ）−９−クロロ−１，２，４，５−テトラヒドロ−ベンゾ［ｄ］アゼピン；
７−（３−トリフルオロメチル−ベンゼンスルホニルアミノ）−９−クロロ−１，２，４，５−テトラヒドロ−ベンゾ［ｄ］アゼピン；
７−（ベンゼンスルホニルアミノ）−９−ブロモ−１，２，４，５−テトラヒドロ−ベンゾ［ｄ］アゼピン；
７−（４−ブロモ−２−トリフルオロメトキシ−ベンゼンスルホニルアミノ）−６−クロロ−１，２，４，５−テトラヒドロ−ベンゾ［ｄ］アゼピン；
３，５−ジクロロ−２−メトキシ−Ｎ−（８−メトキシ−２，３，４，５−テトラヒドロ−１Ｈ−ベンゾ［ｄ］アゼピン−７−イル）−ベンゼンスルホニルアミド
である、請求項１において定義された式（Ｉ）の化合物またはその医薬上許容される塩。
【請求項３】
請求項１または請求項２に記載の化合物および医薬上許容される担体または賦形剤を含む医薬組成物。
【請求項４】
鬱病、不安症、アルツハイマー病、老化に関連した認識低下、ＡＤＨＤ、肥満、軽度の認識障害および統合失調症の治療に用いられる請求項１または請求項２に記載の式（Ｉ）の化合物を含む医薬組成物。
【手続補正書】
【提出日】平成18年2月3日(2006.2.3)
【手続補正１】
【補正対象書類名】特許請求の範囲
【補正対象項目名】請求項１２
【補正方法】変更
【補正の内容】
【請求項１２】
請求項１記載の方法において、ポリエチレンイミン窒素の核酸リン酸に対する比率が約２：１から約５０：１であることを特徴とする方法。
【手続補正２】
【補正対象書類名】特許請求の範囲
【補正対象項目名】請求項１５
【補正方法】変更
【補正の内容】
【請求項１５】
請求項１４記載の方法において、前記ｐ５３が、エアゾール化溶液１０ｍｌあたり２ｍｇのｐ５３プラスミドを含んでなる投与量で投与されることを特徴とする方法。
【手続補正３】
【補正対象書類名】特許請求の範囲
【補正対象項目名】請求項２４
【補正方法】変更
【補正の内容】
【請求項２４】
請求項１７記載の方法において、前記ｐ５３が、エアゾール化溶液１０ｍｌあたり２ｍｇのｐ５３プラスミドを含んでなる投与量で投与されることを特徴とする方法。
【誤訳訂正書】
【提出日】平成18年1月26日(2006.1.26)
【誤訳訂正１】
【訂正対象書類名】特許請求の範囲
【訂正対象項目名】請求項１
【訂正方法】変更
【訂正の内容】
【請求項１】
プロポフォールと水溶性シクロデキストリンの封入複合体を含んでなり、シクロデキストリンに対するプロポフォールのモル比が１未満であることを特徴とする、凍結乾燥形態の医薬組成物。
【誤訳訂正２】
【訂正対象書類名】明細書
【訂正対象項目名】００１６
【訂正方法】変更
【訂正の内容】
【００１６】
発明の概要
本発明の第１の態様によれば、プロポフォールと水溶性シクロデキストリンの封入複合体を含んでなる凍結乾燥形態の医薬組成物であって、シクロデキストリンに対するプロポフォールのモル比が１未満であるものが提供される。
【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
（ａ）式：
【化１】
2005522421.tif 000001
〔式中、Ｒ1は、Ｃ1〜Ｃ12アルキル；又はフェニル置換Ｃ1〜Ｃ12アルキルである〕
の微粉化ＵＶ広域吸収体１〜６０重量％と、
（ｂ）水分散化及び／又は油分散化被覆された二酸化チタン１〜６０重量％とを含む、ＵＶ吸収体混合物。
【請求項２】
請求項１に記載のＵＶ吸収体混合物と、さらに化粧品として許容し得るキャリア又はアジュバントとを含む化粧品配合物。
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
燃料電池セル圧縮装置であって、支持装置を含んでおり、
前記支持装置は、少なくとも２つの向かい合う側壁を有しており、前記向かい合う側壁は、基底部材により間隔を隔てた関係に保たれており、前記基底部材は、前記向かい合う側壁の下部において前記向かい合う側壁の間を延長しており、
これにより、前記向かい合う側壁及び前記基底部材は、燃料電池セルを受けるための受け台を画定し、
前記少なくとも２つの向かい合う側壁のそれぞれは、その内面に複数の係合部材を有し、前記係合部材は、前記支持装置の上部を構成する上部部材と係合し、
更に、前記複数の係合部材は、該側壁に沿って下方向に間隔を隔てて配置されている、
燃料電池セル圧縮装置。
【請求項２】
請求項１に記載された燃料電池セル圧縮装置であって、
前記係合部材は、それぞれ、複数の歯を含んでおり、前記歯は、前記支持装置の内部空間に向かって内方に突出している
燃料電池セル圧縮装置。
【請求項３】
請求項２に記載された燃料電池セル圧縮装置であって、
前記歯のそれぞれは、前記上部部材が該歯上で第１の方向に移動できるが、前記第１の方向とは反対の第２の方向には移動できないような非対称断面形状を有する、
燃料電池セル圧縮装置。
【請求項４】
請求項１乃至３の何れかに記載された燃料電池セル圧縮装置であって、
前記側壁は、充分な弾性を有する材料で構成されており、これによって、上部部材を当該の係合部材上で移動させ、かつ、その係合部材を一時的に変位させることにより、上部部材が前記支持装置と係合される、
燃料電池セル圧縮装置。
【請求項５】
請求項１に記載された燃料電池セル圧縮装置であって、
前記複数の係合部材は、平行な複数のリブを含み、前記リブは、前記側壁における所要の横方向範囲に沿って延びている、
燃料電池セル圧縮装置。
【請求項６】
請求項５に記載された燃料電池セル圧縮装置であって、
前記リブのそれぞれは、前記上部部材が該リブ上で第１の方向に移動できるが、前記第１の方向とは反対の第２の方向には移動できないような非対称断面形状を有する、
燃料電池セル圧縮装置。
【請求項７】
請求項６に記載された燃料電池セル圧縮装置であって、
前記リブのそれぞれは、該リブの軸と平行な方向に前記上部部材を取り外すことができるような断面形状を有する、
燃料電池セル圧縮装置。
【請求項８】
請求項１に記載された燃料電池セル圧縮装置であって、
前記側壁のそれぞれは、通気孔を有する、燃料電池セル圧縮装置。
【請求項９】
請求項３または請求項６に記載された燃料電池セル圧縮装置であって、
前記側壁に対する前記上部部材の係合方向は、前記基底部材の面に垂直である、
燃料電池セル圧縮装置。
【請求項１０】
請求項１乃至請求項９の何れかに記載された燃料電池セル圧縮装置であって、
前記上部部材は、少なくとも２つの係合部材を有しており、これらの係合部材は、前記支持装置の各側壁に設けられた係合部材のそれぞれと係合するためのものである、
燃料電池セル圧縮装置。
【請求項１１】
請求項１乃至請求項１０の何れかに記載された燃料電池セル圧縮装置であって、
前記係合部材は、各側壁に設けられた凹部に位置する、
燃料電池セル圧縮装置。
【請求項１２】
請求項１１に記載された燃料電池セル圧縮装置であって、
前記上部部材は、側壁に設けられた凹部に受け入れられるよう適合されている、
燃料電池セル圧縮装置。
【請求項１３】
請求項１乃至請求項１２の何れかに記載された燃料電池セル圧縮装置であって、
前記支持装置は、アルミニウムで構成されている、
燃料電池セル圧縮装置。
【請求項１４】
請求項１乃至請求項１３の何れかに記載された燃料電池セル圧縮装置であって、
前記基底部材及び／または前記上部部材は、箱体のアルミニウム押出成形品として形成されている、
燃料電池セル圧縮装置。
【請求項１５】
請求項１乃至請求項１４の何れかに記載された燃料電池セル圧縮装置であって、該燃料電池セル圧縮装置の外壁に、燃料タンクまたは他の機器を備えるための位置的特徴を有する燃料電池セル圧縮装置。
【請求項１６】
燃料電池セル圧縮装置であって、支持装置用受け台と、閉じ部材とを含んでおり、
前記支持装置用受け台は、積層体を構成する複数の燃料電池セルプレートを受け、かつ、燃料電池セルプレートを、実質上重ね合わせた関係に保ち、
前記閉じ部材は、燃料電池セルプレートの面に実質上直交する第１の方向に移動されて前記受け台に対し所定位置となったとき、前記受け台に自動的に係合され固定され、これにより、前記支持装置を閉じ、かつ、前記支持装置の中の燃料電池セルプレートに圧力を加えるよう適合されている、
燃料電池セル圧縮装置。
【請求項１７】
請求項１６に記載された燃料電池セル圧縮装置であって、
前記閉じ部材は、前記第１の方向とは反対の第２の方向に戻ることが、前記受け台と該閉じ部材とに設けられた複数の相互掛け止め歯によって防止されている、
燃料電池セル圧縮装置。
【請求項１８】
請求項１７に記載された燃料電池セル圧縮装置であって、
前記相互掛け止め歯は、順次に、複数の自動固定位置を与え、これらの自動固定位置は、前記第１の方向に沿って異なる距離となっている、
燃料電池セル圧縮装置。
【請求項１９】
燃料電池セル積層体を構成する方法であって、
複数の燃料電池セルプレートを受けて制限体積に収めるための支持装置用受け台を用意するステップと、
前記受け台に燃料電池セルプレートを組み込んで燃料電池セルプレートの積層体を構成するステップと、
支持装置用閉じ部材を用いることにより、燃料電池セルプレートの面に実質上直交する第１の方向に燃料電池セルプレートを圧縮し、かつ、前記受け台に前記閉じ部材を係合するステップとを含んでおり、
前記支持装置は、前記閉じ部材が燃料電池セルプレートの圧縮について適切な度合に達したとき、前記閉じ部材と前記受け台とを自動的に係合し固定するようになっている、
方法。
【請求項２０】
請求項１９に記載された方法であって、
前記閉じ部材及び前記受け台を、始まり位置と終わり位置との間にある一連の自動係合固定位置に沿って変位させ、このとき、前記閉じ部材が燃料電池セルプレートの圧縮について適切な度合に達するステップを含む
方法。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
対向する端部を有する単一層の細長い導体と、
実質的に絶縁された表面と接触する連続導電性ループを与えるために前記対向する端部を結合させる位置に配置されたファスナーであって、前記実質的に絶縁された表面から蓄積した静電荷を除去するための接地コードを備えた前記細長い導体の接触部を含む電気的接続部をさらに与えるファスナーと、
を含む、実質的に絶縁された表面から蓄積した静電荷を消失させる物品。
【請求項２】
前記単一層の細長い導体が導電性フィラーを有するプラスチックフィルムを含む、請求項１に記載の物品。
【請求項３】
第２の端部に対向する第１の端部を有する単一層の細長い導体と、
前記第１の端部を前記第２の端部に結合する手段としての前記細長い導体の前記第１の端部にある兼用ファスナーであって、接地コードのための接続をさらに提供するファスナーと、
前記第２の端部を前記兼用ファスナーに取り付けて、前記兼用ファスナーに係合する複数の孔の一つの選択に応じてサイズ調整される連続導電性ループを提供するために、前記細長い導体の前記第２の端部に形成された複数の孔と、
前記細長い導体を伸張させて、前記細長い導体で手足の周囲を包み、前記第１の端部を前記第２の端部に結合した後、前記手足の周囲を囲む前記導電性ループの把持接触を与える、前記第１の端部と前記第２の端部との間に形成された複数の開口部と、
を含む、蓄積した静電荷を除去するために手足に取り付けられる調整可能な静電消失ストラップ。
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
燃料電池組立て用の薄いパターニングされた触媒コーティング膜ウェブを別個の膜シートに自動的に加工する方法であって、前記膜ウェブの第１の面がアノード触媒でコーティングされ、前記膜ウェブの第２の面がカソード触媒でコーティングされ、前記方法が、
移動可能な真空装置を用いて、前記膜ウェブの端部部分を第１の位置から第２の位置に輸送する工程と、
前記第１および第２の位置におけるそれぞれの第１および第２の真空装置を用いて、かつ、前記移動可能な真空装置の非作動後、前記第１および第２の位置で前記膜ウェブの端部部分を固定する工程と、
前記膜ウェブ端部部分の１つの触媒パターンと隣接した触媒パターンとの間に規定された間隙内で前記膜ウェブを切断して、膜シートを製造する工程と、
前記膜シートを所望の配向に位置決めして、前記膜シートのその後の処理を容易にする工程とを含む、方法。
【請求項２】
前記第１の真空装置を用いて、前記第１の位置で前記膜ウェブの端部部分を固定する工程と、
前記移動可能な真空装置を前記第１の位置に移動させる工程と、
前記移動可能な真空装置を作動させ、かつ前記第１の真空装置を非作動にして、前記移動可能な真空を用いることによって前記膜ウェブの端部部分の輸送を容易にする工程とをさらに含む、請求項１に記載の方法。
【請求項３】
燃料電池組立て用の薄いパターニングされた触媒コーティング膜ウェブを別個の膜シートに自動的に加工する装置であって、前記膜ウェブの第１の面がアノード触媒でコーティングされ、前記膜ウェブの第２の面がカソード触媒でコーティングされ、ウェブ取扱いモジュールが、前記膜ウェブの端部部分を提供し、前記装置が、
第１の真空装置および間隙検出器を含むステージングステーションであって、前記間隙検出器が、前記膜ウェブの触媒パターンの間の間隙を検出し、前記ステージングステーションが、前記膜ウェブの端部部分を受取る、ステージングステーションと、
軸方向におよび回転して移動するように制御可能な位置決めテーブルおよび第２の真空装置を含む位置決めステーションと、
カッタと、
前記位置決めステーションに設けられ、前記膜ウェブから切断された膜シートの配向を検出する視覚システムと、
真空チャックを含み、少なくとも前記ステージングステーションと前記位置決めステーションとの間で移動可能であるロボットと、
前記ロボットに、前記真空チャックにおける真空を用いて、前記膜ウェブの端部部分を前記ステージングステーションから前記位置決めテーブルに輸送させるようにプログラムされ、前記カッタに、触媒パターン間の間隙内で前記膜ウェブを切断させるときに、前記第１および第２の真空装置ならびに前記真空チャックの真空を選択的に作動させたり非作動にしたりするようにプログラムされ、かつ、前記膜シートのその後の処理を容易にするために前記膜シートが所望の配向に移動されるように前記位置決めテーブルの移動を制御するようにプログラムされる制御装置とを含む、装置。
【手続補正２】
【補正対象書類名】明細書
【補正対象項目名】００２２
【補正方法】変更
【補正の内容】
【００２２】
水素が、燃料電池のアノード側に供給され、そこで、触媒は、水素が、電子を放出し、水素イオン（プロトン）になることを促進する。電子は、利用可能な電流の形態で移動し、酸素が導入されている燃料電池のカソード側に戻る。同時に、プロトンは、膜を通ってカソードに拡散し、そこで、水素イオンは、酸素と再び組合わされ、反応して水を発生する。
【手続補正３】
【補正対象書類名】明細書
【補正対象項目名】００３２
【補正方法】変更
【補正の内容】
【００３２】
ステージングステーション５０に近接して、間隙検出器７４が設けられる。間隙検出器７４は、ステージングステーション５０上またはステージングステーション５０より上に取付けることができる。間隙検出器７４は、ウェブ３２の隣接した膜パターン３３の間に設けられた間隙３４を検出できるように配置される。ある構成によれば、間隙検出器７４は、ステージングステーション５０を横切る膜ウェブ３２の１つの触媒パターン３３の前進を光学的に検出する光検出器を含む。ある特定の構成において、間隙検出器７４は、ステージングステーション５０を横切る膜ウェブ３２の１つの触媒パターン３３の前進を検出するフォトアイ（ｐｈｏｔｏ−ｅｙｅ）を含む。
【手続補正書】
【提出日】平成17年7月1日(2005.7.1)
【手続補正１】
【補正対象書類名】明細書
【補正対象項目名】００２８
【補正方法】変更
【補正の内容】
【００２８】
［説明］  
図１は本発明の実施形態にしたがってスケジュールを行うことのできる例示的な通信システム100 を示している。通信システム100 は多数のセル102A-102G からなり、各セル102 は対応する基地局104 によりサービスされている。ＣＤＭＡネットワーク内で、種々の加入者局106 は通信システム100 のカバー区域全体に分散される。加入者局106 は順方向リンクで信号を基地局104 へ送信し、逆方向リンクで基地局104 から信号を受信することにより基地局104と通信する。例えば加入者局106Aと106Bは基地局104Cだけと通信し、加入者局106Dと106Eは基地局104Dだけと通信しているが、セル境界近くに位置する加入者局106Cは基地局104Cと104Dとハンドオフ中である。１実施形態では、通信システム100 はＣＤＭＡ通信システムであるが、本発明は全ての無線通信フォーマットへ応用可能である。ＣＤＭＡ通信システムでは、セル境界近くに位置する加入者局106Cは基地局104Cと104Dとソフトハンドオフ中である。ＣＤＭＡシステムでのソフトハンドオフの使用は前述の米国特許第5,267,261 号明細書に詳細に説明されている。基地局104は対応するバックホール108 によって制御装置110 へ接続されている。制御装置110 は公衆交換電話網（ＰＳＴＮ）112 およびデータネットワークインターフェース（ＤＮＩ）114 とインターフェースする。
【手続補正２】
【補正対象書類名】図面
【補正対象項目名】図２
【補正方法】変更
【補正の内容】
【図２】
2005522059.tif 000001